【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
左右の眼鏡レンズを一体として構成される透明樹脂製の眼鏡レンズ部及びテンプル部を有してなるテンポラリー眼鏡と、前記テンポラリー眼鏡における前記眼鏡レンズに、１枚又は２枚重ねで貼着可能で、且つ、視力を矯正可能な度数を有するレンズ膜が透明の剥離紙に、透明の粘着層を介して貼り付けられているレンズ膜セットと、前記テンポラリー眼鏡と前記レンズ膜セットとを収納するパッケージと、を含んでなり、
前記左右の眼鏡レンズは、低近視度、高近視度及び遠老視度のいずれかの視力矯正用レンズからなり、
前記レンズ膜セットは、前記左右の眼鏡レンズが低近視度用又は、高近視度用の場合に、レンズ度数を−０．５Ｄ変化させる機能を備えた第１の近視用レンズ膜、レンズ度数を−１．０Ｄ変化させる機能を備えた第２の近視用レンズ膜、レンズ度数を−１．５Ｄ変化させる機能を備えた第３の近視用レンズ膜、
を少なくとも含んでなり、これらのレンズ膜は透明な光学樹脂フィルムからなり、各々、前記透明の剥離紙に貼着したままで、前記眼鏡レンズに押し付けて、最適な矯正度数のレンズ膜を選択可能とされ、そのうちの１枚又は２枚の近視用レンズ膜を前記左右の眼鏡レンズの少なくとも一方に貼着可能とされたことを特徴とするテンポラリー眼鏡セット。
【請求項２】
左右の眼鏡レンズを一体として構成される透明樹脂製の眼鏡レンズ部及びテンプル部を有してなるテンポラリー眼鏡と、前記テンポラリー眼鏡における前記眼鏡レンズに、１枚又は２枚重ねで貼着可能で、且つ、視力を矯正可能な度数を有するレンズ膜が透明の剥離紙に、透明の粘着層を介して貼り付けられているレンズ膜セットと、前記テンポラリー眼鏡と前記レンズ膜セットとを収納するパッケージと、を含んでなり、
前記左右の眼鏡レンズは、低近視度、高近視度及び遠老視度のいずれかの視力矯正用レンズからなり、
前記レンズ膜セットは、前記左右の眼鏡レンズが遠老視度用の場合に、レンズ度数を＋０．５Ｄ変化させる機能を備えた第１の遠視用レンズ膜、レンズ度数を＋１．０Ｄ変化させる機能を備えた第２の遠視用レンズ膜、レンズ度数を＋１．５Ｄ変化させる機能を備えた第３の遠視用レンズ膜、
を少なくとも含んでなり、これらのレンズ膜は透明な光学樹脂フィルムからなり、各々、前記透明の剥離紙に貼着したままで、前記眼鏡レンズに押し付けて、最適な矯正度数のレンズ膜を選択可能とされ、そのうちの１枚又は２枚の遠視用レンズ膜を前記左右の眼鏡レンズの少なくとも一方に貼着可能とされたことを特徴とするテンポラリー眼鏡セット。
【請求項３】
左右の眼鏡レンズを一体として構成される透明樹脂製の眼鏡レンズ部及びテンプル部を有してなるテンポラリー眼鏡と、前記テンポラリー眼鏡における前記眼鏡レンズに貼着可能で、且つ、視力を矯正可能な度数を有するレンズ膜が透明の剥離紙に、透明の粘着層を介して貼り付けられているレンズ膜セットと、前記テンポラリー眼鏡と前記レンズ膜セットとを収納するパッケージと、を含んでなり、
前記左右の眼鏡レンズは、低近視度の視力矯正用レンズからなり、
前記レンズ膜セットは、レンズ度数を−０．５Ｄ、−１．０Ｄ、−１．５Ｄ、−２．０Ｄ、−２．５Ｄ、−３．０Ｄ、−３．５Ｄ、−４．０Ｄ及び−４．５Ｄに変化させる機能を備えた９種類のレンズ膜、
を少なくとも含んでなり、これらのレンズ膜は透明な光学樹脂フィルムからなり、各々、前記透明の剥離紙に貼着したままで、前記眼鏡レンズに押し付けて、最適な矯正度数のレンズ膜を選択可能とされ、そのうちの１種類のレンズ膜を前記左右の眼鏡レンズの少なくとも一方に貼着可能とされたことを特徴とするテンポラリー眼鏡セット。
【請求項４】
請求項１乃至３のいずれかにおいて、
前記テンポラリー眼鏡セットにおける前記眼鏡レンズに貼着された前記レンズ膜の上に更に貼着可能で、且つ、乱視を矯正可能な少なくとも１種類の乱視矯正用レンズ膜を含んでおり、
前記乱視矯正用レンズ膜は、円柱レンズを円形に切り取った形状であり、透明の剥離紙に、透明の粘着層を介して貼り付けられていて、前記透明な剥離紙に貼着したままで、円柱レンズの軸線を円形中心廻りに回転させて調節して、前記貼着されているレンズ膜に貼着可能とされたことを特徴とするテンポラリー眼鏡セット。
【請求項５】
請求項１乃至４のいずれかにおいて、
前記テンポラリー眼鏡は、
前記テンプル部が接続可能な智部を有してなり、
前記眼鏡レンズ部と前記智部は、実質的に同一種類の樹脂材料により連続一体的に形成されていることを特徴とするテンポラリー眼鏡セット。
【請求項６】
請求項５において、
前記智部は、前記眼鏡レンズ部の左右の端部の一部から構成されていることを特徴とするテンポラリー眼鏡セット。
【請求項７】
請求項６において、
前記智部は、前記眼鏡レンズ部の左右の端部の一部を、該端部よりもレンズ内側に肉厚に盛り上げて形成されていることを特徴とするテンポラリー眼鏡セット。
【請求項８】
請求項１乃至４のいずれかにおいて、
前記眼鏡レンズ部の外周のうち、少なくとも上端縁に沿う部分をレンズ中心側部分よりも肉厚に形成して、フレーム部としたことを特徴とするテンポラリー眼鏡セット。
【手続補正２】
【補正対象書類名】明細書
【補正対象項目名】発明の名称
【補正方法】変更
【補正の内容】
【発明の名称】テンポラリー眼鏡セット
【手続補正３】
【補正対象書類名】明細書
【補正対象項目名】０００１
【補正方法】変更
【補正の内容】
【０００１】
本発明は、緊急用防災非常用眼鏡としてのテンポラリー眼鏡セットに関する。
【手続補正４】
【補正対象書類名】明細書
【補正対象項目名】０００２
【補正方法】変更
【補正の内容】
【０００２】
緊急用防災非常用眼鏡として、ＡＤＬＥＮＳ（登録商標）と称される可変焦点レンズおよびメガネが開発されている。
【手続補正５】
【補正対象書類名】明細書
【補正対象項目名】０００８
【補正方法】変更
【補正の内容】
【０００８】
この発明は、緊急用防災非常用眼鏡としての、視度の調整範囲が大きく、且つ、視野が狭く限定されないようにしたテンポラリー眼鏡セットを提供することを課題とする。
【手続補正６】
【補正対象書類名】明細書
【補正対象項目名】０００９
【補正方法】変更
【補正の内容】
【０００９】
更に、乱視の矯正ができるテンポラリー眼鏡セットを提供することを課題とする。
【手続補正７】
【補正対象書類名】明細書
【補正対象項目名】００１０
【補正方法】変更
【補正の内容】
【００１０】
また、製造コストが低く、収納時の容積が小さいテンポラリー眼鏡セットを提供することを課題とする。
【手続補正８】
【補正対象書類名】明細書
【補正対象項目名】００１１
【補正方法】変更
【補正の内容】
【００１１】
本発明者は、鋭意研究の結果、低コストで製造できると共に、収納時の容積が小さく、災害に備えて大量に備蓄するのに最適なテンポラリー眼鏡セットを開発した。
【手続補正９】
【補正対象書類名】明細書
【補正対象項目名】００１３
【補正方法】変更
【補正の内容】
【００１３】
本発明のテンポラリー眼鏡セットは、左右の眼鏡レンズを一体として構成される透明樹脂製の眼鏡レンズ部及びテンプル部を有してなるテンポラリー眼鏡と、前記テンポラリー眼鏡における前記眼鏡レンズに、１枚又は２枚重ねで貼着可能で、且つ、視力を矯正可能な度数を有するレンズ膜が透明の剥離紙に、透明の粘着層を介して貼り付けられているレンズ膜セットと、前記テンポラリー眼鏡と前記レンズ膜セットとを収納するパッケージと、を含んでなり、前記左右の眼鏡レンズは、低近視度、高近視度及び遠老視度のいずれかの視力矯正用レンズからなり、前記レンズ膜セットは、前記左右の眼鏡レンズが低近視度用又は、高近視度用の場合に、レンズ度数を−０．５Ｄ変化させる機能を備えた第１の近視用レンズ膜、レンズ度数を−１．０Ｄ変化させる機能を備えた第２の近視用レンズ膜、レンズ度数を−１．５Ｄ変化させる機能を備えた第３の近視用レンズ膜、を少なくとも含んでなり、これらのレンズ膜は透明な光学樹脂フィルムからなり、各々、前記透明の剥離紙に貼着したままで、前記眼鏡レンズに押し付けて、最適な矯正度数のレンズ膜を選択可能とされ、そのうちの１枚又は２枚の近視用レンズ膜を前記左右の眼鏡レンズの少なくとも一方に貼着可能として、上記課題を解決したものである。なお、Ｄは角膜屈折力の単位であるディオプトリーを示す。
【手続補正１０】
【補正対象書類名】明細書
【補正対象項目名】００１４
【補正方法】変更
【補正の内容】
【００１４】
また、本発明のテンポラリー眼鏡セットは、左右の眼鏡レンズを一体として構成される透明樹脂製の眼鏡レンズ部及びテンプル部を有してなるテンポラリー眼鏡と、前記テンポラリー眼鏡における前記眼鏡レンズに、１枚又は２枚重ねで貼着可能で、且つ、視力を矯正可能な度数を有するレンズ膜が透明の剥離紙に、透明の粘着層を介して貼り付けられているレンズ膜セットと、前記テンポラリー眼鏡と前記レンズ膜セットとを収納するパッケージと、を含んでなり、前記左右の眼鏡レンズは、低近視度、高近視度及び遠老視度のいずれかの視力矯正用レンズからなり、前記レンズ膜セットは、前記左右の眼鏡レンズが遠老視度用の場合に、レンズ度数を＋０．５Ｄ変化させる機能を備えた第１の遠視用レンズ膜、レンズ度数を＋１．０Ｄ変化させる機能を備えた第２の遠視用レンズ膜、レンズ度数を＋１．５Ｄ変化させる機能を備えた第３の遠視用レンズ膜、を少なくとも含んでなり、これらのレンズ膜は透明な光学樹脂フィルムからなり、各々、前記透明の剥離紙に貼着したままで、前記眼鏡レンズに押し付けて、最適な矯正度数のレンズ膜を選択可能とされ、そのうちの１枚又は２枚の遠視用レンズ膜を前記左右の眼鏡レンズの少なくとも一方に貼着可能として、上記課題を解決したものである。
【手続補正１１】
【補正対象書類名】明細書
【補正対象項目名】００１５
【補正方法】変更
【補正の内容】
【００１５】
更に、本発明のテンポラリー眼鏡セットは、左右の眼鏡レンズを一体として構成される透明樹脂製の眼鏡レンズ部及びテンプル部を有してなるテンポラリー眼鏡と、前記テンポラリー眼鏡における前記眼鏡レンズに貼着可能で、且つ、視力を矯正可能な度数を有するレンズ膜が透明の剥離紙に、透明の粘着層を介して貼り付けられているレンズ膜セットと、前記テンポラリー眼鏡と前記レンズ膜セットとを収納するパッケージと、を含んでなり、前記左右の眼鏡レンズは、低近視度の視力矯正用レンズからなり、前記レンズ膜セットは、レンズ度数を−０．５Ｄ、−１．０Ｄ、−１．５Ｄ、−２．０Ｄ、−２．５Ｄ、−３．０Ｄ、−３．５Ｄ、−４．０Ｄ及び−４．５Ｄに変化させる機能を備えた９種類のレンズ膜、を少なくとも含んでなり、これらのレンズ膜は透明な光学樹脂フィルムからなり、各々、前記透明の剥離紙に貼着したままで、前記眼鏡レンズに押し付けて、最適な矯正度数のレンズ膜を選択可能とされ、そのうちの１種類のレンズ膜を前記左右の眼鏡レンズの少なくとも一方に貼着可能として、上記課題を解決したものである。
【手続補正１２】
【補正対象書類名】明細書
【補正対象項目名】００１６
【補正方法】変更
【補正の内容】
【００１６】
なお、前記テンポラリー眼鏡セットにおける前記眼鏡レンズに貼着された前記レンズ膜の上に更に貼着可能で、且つ、乱視を矯正可能な少なくとも１種類の乱視矯正用レンズ膜を含んでおり、前記乱視矯正用レンズ膜は、円柱レンズを円形に切り取った形状であり、透明の剥離紙に、透明の粘着層を介して貼り付けられていて、前記透明な剥離紙に貼着したままで、円柱レンズの軸線を円形中心廻りに回転させて調節して、前記貼着されているレンズ膜に貼着可能としてもよい。
【手続補正１３】
【補正対象書類名】明細書
【補正対象項目名】００１７
【補正方法】変更
【補正の内容】
【００１７】
上記テンポラリー眼鏡は、前記テンプル部が接続可能な智部を有してなり、前記眼鏡レンズ部と前記智部を、実質的に同一種類の樹脂材料により連続一体的に形成したものでもよい。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
本発明のテンポラリー眼鏡セットでは、左右の眼鏡レンズの各々に、装着者の視力に最適な度数を有するレンズ膜を選択して貼着する構成であり、レンズ膜が、各々透明の剥離紙に透明の粘着層を介して貼り付けられているので、これをそのままテンポラリー眼鏡のレンズに押し付けた状態で最適な視力を得られるレンズ膜を確実に選択することができ、また、視度矯正用のレンズ膜を移動させたりする必要がなく、構造が簡単、且つ、低コストで製造できるという効果を有する。
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
【図１】実施例に係るテンポラリー眼鏡セットに用いられるテンポラリー眼鏡を模式的に示す斜視図
【図２】本発明の実施例１に係るテンポラリー眼鏡セットを模式的に示す斜視図
【図３】図１のIII−III線に沿う断面図
【図４】同実施例における近視用レンズ膜をテンポラリー眼鏡の眼鏡レンズに貼着した状態を示す斜視図、及び、近視用レンズ膜セットを模式的に拡大して示す断面図
【図５】実施例２における遠視用レンズ膜セットを模式的に拡大して示す断面図
【図６】実施例３における乱視矯正用レンズ膜を模式的に拡大して示す斜視図
【図７】乱視矯正用レンズ膜を模式的に示す斜視図